(57)【要約】  本開示に係る映像表示パネル（１）は、複数の画素（１２）を有し、複数の異なる画像を含む合成画像を表示する画像表示部（１０）と、画像表示部（１０）に対向して配置され、開口部（２２）と遮光部（２３）とによって画像表示部（１０）に表示された合成画像を複数の異なる画像に分離する画像分離部（２０）とを有する。複数の画素の各々は、それぞれが発光領域を有する複数のサブピクセルによって構成され、一画素における複数のサブピクセルは、当該一画素を等分した大きさではなく、開口部は、斜め方向に開口し、開口部と遮光部の境界線は、複数の異なる画像の各々に対応する画像を表示する複数のサブピクセルのうち隣り合うサブピクセルの重心を結ぶ線の連続線もしくは隣り合う発光領域の重心を結ぶ線の連続線と平行である、または、隣り合うサブピクセルの重心の中点を結ぶ線の連続線もしくは隣り合う発光領域の重心の中点を結ぶ線の連続線である。
2013042332.tif 000002
【特許請求の範囲】
【請求項１】
水平方向および垂直方向に並べられた複数の画素を有し、複数の異なる画像を含む合成画像を表示する画像表示部と、前記画像表示部に対向して配置され、前記水平方向に交互に配置された光を透過させる開口部と光を遮光する遮光部とによって前記画像表示部に表示された前記合成画像を前記複数の異なる画像に分離する画像分離部とを用いて映像表示する方法であって、
前記複数の画素の各々を、それぞれが発光領域を有する複数のサブピクセルによって構成し、
一画素における前記複数のサブピクセルの各々を、前記一画素を等分した大きさとせず、
前記開口部を、前記垂直方向に対して斜め方向に開口させて、
前記開口部と前記遮光部との境界線を、隣り合うサブピクセルの重心を結ぶ線の連続線もしくは隣り合う発光領域の重心を結ぶ線の連続線を平行移動させたものとして、または、隣り合うサブピクセルの重心の中点を結ぶ線の連続線もしくは隣り合う発光領域の重心の中点を結ぶ線の連続線として
映像表示する方法。
【請求項２】
水平方向および垂直方向に並べられた複数の画素を有し、複数の異なる画像を含む合成画像を表示する画像表示部と、
前記画像表示部に対向して配置され、前記水平方向に交互に配置された、光を透過させる開口部と光を遮光する遮光部とによって、前記画像表示部に表示された合成画像を前記複数の異なる画像に分離する画像分離部と、を有し、
前記複数の画素の各々は、それぞれが発光領域を有する複数のサブピクセルによって構成され、
一画素における前記複数のサブピクセルは、当該一画素を等分した大きさではなく、
前記開口部は、前記垂直方向に対して斜め方向に開口し、
前記開口部と前記遮光部との境界線は、隣り合うサブピクセルの重心を結ぶ線の連続線もしくは隣り合う発光領域の重心を結ぶ線の連続線と平行である、または、隣り合うサブピクセルの重心の中点を結ぶ線の連続線もしくは隣り合う発光領域の重心の中点を結ぶ線の連続線である
映像表示パネル。
【請求項３】
前記境界線は、斜め方向に隣り合うサブピクセルの重心を結ぶ線の連続線または斜め方向に隣り合う発光領域の重心を結ぶ線の連続線を前記垂直方向に平行移動させたものである
請求項２に記載の映像表示パネル。
【請求項４】
前記斜め方向に隣り合うサブピクセルの重心を結ぶ線の連続線または前記斜め方向に隣り合う発光領域の重心を結ぶ線の連続線は、前記複数の異なる画像の各々を表示する前記複数のサブピクセルからの光量が多くなるように屈曲している
請求項３に記載の映像表示パネル。
【請求項５】
前記境界線は、前記水平方向に隣り合うサブピクセルの重心の中点を結ぶ線の連続線または前記水平方向に隣り合う発光領域の重心の中点を結ぶ線の連続線である
請求項２に記載の映像表示パネル。
【請求項６】
前記水平方向に隣り合うサブピクセルの重心の中点を結ぶ線または前記水平方向に隣り合う発光領域の重心の中点を結ぶ線は、直線である
請求項５に記載の映像表示パネル。
【請求項７】
前記水平方向に隣り合うサブピクセルの重心の中点を結ぶ線または前記水平方向に隣り合う発光領域の重心の中点を結ぶ線は、前記複数の異なる画像の各々を表示する前記複数のサブピクセルからの光量が多くなるように屈曲している
請求項５または６に記載の映像表示パネル。
【請求項８】
前記複数の画素の各々は、前記複数のサブピクセルで構成された領域と、前記複数のサブピクセルとは別の領域とからなる
請求項２〜７のいずれか１項に記載の映像表示パネル。
【請求項９】
前記複数のサブピクセルとは別の領域は、補助配線を形成するための領域である
請求項８に記載の映像表示パネル。
【請求項１０】
前記複数のサブピクセルは、異なる色に対応し、
前記一画素における前記複数のサブピクセルのうち、一の色に対応するサブピクセルと前記一の色とは異なる色に対応するサブピクセルとは、大きさが異なる
請求項２〜７のいずれか１項に記載の映像表示パネル。
【請求項１１】
前記開口部から見える前記複数のサブピクセルの各色成分の面積比が、前記画素を構成する前記複数のサブピクセルの各色成分の面積比と略同じである
請求項２〜１０のいずれか１項に記載の映像表示パネル。
【請求項１２】
前記画像分離部は、前記開口部の開口形状を変更できるように構成されている
請求項２〜１１のいずれか１項に記載の映像表示パネル。
【請求項１３】
前記画像分離部は、前記遮光部をなくして前記合成画像を全透過できるように構成されている
請求項２〜１２のいずれか１項に記載の映像表示パネル。
【請求項１４】
前記一画素における前記複数のサブピクセルの各々は、異なる色に対応する
請求項２〜１３のいずれか１項に記載の映像表示パネル。
【請求項１５】
請求項２〜１４のいずれか１項に記載の映像表示パネルによって立体画像と２Ｄ画像の両方もしくはいずれか一方を視聴することができる
映像表示装置。
【発明の詳細な説明】
【技術分野】
【０００１】
本発明は、裸眼で立体映像を表示する方法、映像表示パネルおよび映像表示装置に関し、特に、パララックスバリア方式による立体映像表示パネルに関するものである。
【背景技術】
【０００２】
従来から、特殊なメガネを使用しないで裸眼で立体映像（３次元映像）を表示する映像表示装置が知られている。例えば、液晶ディスプレイやプラズマディスプレイ（ＰＤＰ）等のディスプレイの観察者側にパララックスバリア（視差バリア）やレンチキュラレンズ（分光手段）等を配置し、ディスプレイに表示された右眼用映像と左眼用映像とを含む合成画像からの光を分離して立体映像を表示する。【０００３】
図１５を用いて、観察者が裸眼で立体映像を視認できるように映像表示する従来の方法の一例を説明する。図１５は、２視点のパララックスバリア方式による従来の立体映像表示方法の概要を示す図である。【０００４】
まず、２つのカメラＣ１およびＣ２で構成されるカメラ１３０によって互いに異なる視点から被写体３００を撮影し、右眼用映像（右眼用画像）Ｘ１と左眼用映像（左眼用画像）Ｘ２とを取得する。そして、取得した右眼用映像Ｘ１および左眼用映像Ｘ２の２つの映像をフォーマット変換部１４０によって合成し、この合成した映像を画像表示部１１０に表示する。画像表示部１１０に表示された合成画像は、画像分離部１２０によって右眼用映像Ｘ１と左眼用映像Ｘ２とに分離され、立体映像として観察される。【０００５】
画像表示部１１０は、液晶ディスプレイやプラズマディスプレイであり、複数の画素１１２がマトリクス状に配列された表示部１１１を有する。表示部１１１において、複数の画素１１２の各々は、赤（Ｒ）、緑（Ｇ）および青（Ｂ）に対応する３つのサブピクセル（赤色用サブピクセル１１３Ｒ、緑色用サブピクセル１１３Ｇ、青色用サブピクセル１１３Ｂ）によって構成されている。このように構成された複数のサブピクセルは、右眼用映像Ｘ１を表示する複数の右眼用サブピクセルと左眼用映像Ｘ２を表示する複数の左眼用サブピクセルとに分けられる。なお、図１５において、右眼用サブピクセルには「１」と表記し、左眼用のサブピクセルには「２」と表記し、図１５では、右眼用映像Ｘ１と左眼用映像Ｘ２を一列毎に交互に表示している例を示している。【０００６】
また、画像表示部１１０の前面には画像分離部１２０が配置されている。この図の例では、画像分離部１２０は、光を透過する開口部１２２と光を遮光する遮光部１２３とが交互に形成された視差バリア（パララックスバリア）１２１を有する。視差バリア１２１における開口部１２２および遮光部１２３は、映像観察領域１００にいる観察者（ユーザ）２００が所定の位置から観察したときに、右眼（第１視点Ｐ１）によって右眼用映像Ｘ１のみが観察され、左眼（第２視点Ｐ２）によって左眼用映像Ｘ２のみが観察されるように形成されている。なお、右眼用サブピクセルに表示される右眼用映像Ｘ１と左眼用サブピクセルに表示される左眼用映像Ｘ２との間には、人間が立体映像を感じるだけの両眼視差がある。【０００７】
このように、図１５に示す従来の立体映像表示方法によれば、映像観察領域１００にいる観察者２００は、頭部を所定の位置（正視位置）に位置させることにより、右眼には右眼用映像Ｘ１が入射され、左眼には左眼用映像Ｘ２が入射されるので、立体映像を認識することができる（特許文献１参照）。
【先行技術文献】
【特許文献】
【０００８】
【特許文献１】米国特許第７２６８９４３号明細書
【発明の概要】
【発明が解決しようとする課題】
【０００９】
しかしながら、上述した画像分離部１２０における視差バリア１２１の形状は、一画素を構成する各色成分（Ｒ、ＧおよびＢ）に対応する各サブピクセルの形状が同一であり、かつ一画素内に均一に配置されている画像表示部１１０に対応して作製されている。従って、画像表示部１１０において、一画素を構成するＲ、Ｇ、Ｂに対応する各サブピクセルの形状が同一でない場合、または一画素内で各サブピクセルが均一に配置されていない場合には、画像分離部１２０によって分離された右眼用映像Ｘ１または左眼用映像Ｘ２の色バランスが崩れ、画質が劣化する。【００１０】
本発明は、このような課題を解決するものであり、立体映像の画質の劣化を抑制する映像表示する方法、映像表示パネルおよび映像表示装置を提供することを目的とする。
【課題を解決するための手段】
【００１１】
上記課題を解決するために、本発明の一つの形態に係る映像表示パネルは、水平方向および垂直方向に並べられた複数の画素を有し、複数の異なる画像を含む合成画像を表示する画像表示部と、前記画像表示部に対向して配置され、前記水平方向に交互に配置された、光を透過させる開口部と光を遮光する遮光部とによって、前記画像表示部に表示された合成画像を前記複数の異なる画像に分離する画像分離部と、を有し、前記複数の画素の各々は、それぞれが発光領域を有する複数のサブピクセルによって構成され、一画素における前記複数のサブピクセルは、当該一画素を等分した大きさではなく、前記開口部は、前記垂直方向に対して斜め方向に開口し、前記開口部と前記遮光部との境界線は、隣り合うサブピクセルの重心を結ぶ線の連続線もしくは隣り合う発光領域の重心を結ぶ線の連続線と平行である、または、隣り合うサブピクセルの重心の中点を結ぶ線の連続線もしくは隣り合う発光領域の重心の中点を結ぶ線の連続線であることを特徴とする。
【発明の効果】
【００１２】
本発明によれば、一画素を構成する複数のサブピクセルの形状の各々が同一でない場合、または一画素内で各サブピクセルが均一に配置されていない場合等、一画素における複数のサブピクセルが当該一画素を等分した大きさではないような場合であったとしても、画質の劣化を抑制することができる。
【図面の簡単な説明】
【００１３】
【図１】図１は、本発明の実施の形態１に係る映像表示する方法の概略を示す図である。
【図２】図２は、本発明の実施の形態１に係る映像表示パネルの構成を示す図である。
【図３Ａ】図３Ａは、本発明の実施の形態１に係る映像表示パネルにおける画像表示部と画像分離部との関係を模式的に示す図である（第１視点Ｐ１での映像の見え方）。
【図３Ｂ】図３Ｂは、本発明の実施の形態１に係る映像表示パネルにおける画像表示部と画像分離部との関係を模式的に示す図である（第２視点Ｐ２での映像の見え方）。
【図４】図４は、図３Ａに示す映像表示パネルにおいて、水平方向に３画素分の領域を示す拡大図である。
【図５Ａ】図５Ａは、本発明の実施の形態１の変形例１に係る映像表示パネルにおける画像表示部と画像分離部との関係を模式的に示す図である（第１視点Ｐ１での映像の見え方）。
【図５Ｂ】図５Ｂは、本発明の実施の形態１の変形例１に係る映像表示パネルにおける画像表示部と画像分離部との関係を模式的に示す図である（第２視点Ｐ２での映像の見え方）。
【図６Ａ】図６Ａは、本発明の実施の形態１の変形例２に係る映像表示パネルにおける画像表示部と画像分離部との関係を模式的に示す図である（第１視点Ｐ１での映像の見え方）。
【図６Ｂ】図６Ｂは、本発明の実施の形態１の変形例２に係る映像表示パネルにおける画像表示部と画像分離部との関係を模式的に示す図である（第２視点Ｐ２での映像の見え方）。
【図７Ａ】図７Ａは、本発明の実施の形態２に係る映像表示パネルにおける画像表示部と画像分離部との関係を模式的に示す図である（第１視点Ｐ１での映像の見え方）。
【図７Ｂ】図７Ｂは、本発明の実施の形態２に係る映像表示パネルにおける画像表示部と画像分離部との関係を模式的に示す図である（第２視点Ｐ２での映像の見え方）。
【図８Ａ】図８Ａは、本発明の実施の形態２の変形例１に係る映像表示パネルにおける画像表示部と画像分離部との関係を模式的に示す図である（第１視点Ｐ１での映像の見え方）。
【図８Ｂ】図８Ｂは、本発明の実施の形態２の変形例１に係る映像表示パネルにおける画像表示部と画像分離部との関係を模式的に示す図である（第２視点Ｐ２での映像の見え方）。
【図９Ａ】図９Ａは、本発明の実施の形態２の変形例２に係る映像表示パネルにおける画像表示部と画像分離部との関係を模式的に示す図である（第１視点Ｐ１での映像の見え方）。
【図９Ｂ】図９Ｂは、本発明の実施の形態２の変形例２に係る映像表示パネルにおける画像表示部と画像分離部との関係を模式的に示す図である（第２視点Ｐ２での映像の見え方）。
【図１０】図１０は、本発明の実施の形態３に係る映像表示装置の概略構成を示す図である。
【図１１Ａ】図１１Ａは、第１の従来の映像表示パネルにおける画像表示部と画像分離部との関係を模式的に示す図である（第１視点Ｐ１での映像の見え方）。
【図１１Ｂ】図１１Ｂは、本発明の変形例１に係る映像表示パネルにおける画像表示部と画像分離部との関係を模式的に示す図である（第１視点Ｐ１での映像の見え方）。
【図１２Ａ】図１２Ａは、第２の従来の映像表示パネルにおける画像表示部と画像分離部との関係を模式的に示す図である（第１視点Ｐ１での映像の見え方）。
【図１２Ｂ】図１２Ｂは、本発明の変形例２に係る映像表示パネルにおける画像表示部と画像分離部との関係を模式的に示す図である（第１視点Ｐ１での映像の見え方）。
【図１３】図１３は、本発明の変形例３に係る映像表示パネルにおける画像表示部と画像分離部との関係を模式的に示す図である（第１視点Ｐ１での映像の見え方）。
【図１４】図１４は、本発明の変形例４に係る映像表示パネルにおける画像表示部と画像分離部との関係を模式的に示す図である（第１視点Ｐ１での映像の見え方）。
【図１５】図１５は、従来の一般的な立体映像表示方法の概要を示す図である。
【図１６Ａ】図１６Ａは、一画素内の複数のサブピクセルが当該一画素を等分した大きさではない場合の一例としてバスバーが形成された画像表示部における表示部と、従来の画像分離部における視差バリアとの関係を模式的に示す図である（第１視点Ｐ１での映像の見え方）。
【図１６Ｂ】図１６Ｂは、一画素内の複数のサブピクセルが当該一画素を等分した大きさではない場合の一例としてバスバーが形成された画像表示部における表示部と、従来の画像分離部における視差バリアとの関係を模式的に示す図である（第２視点Ｐ２での映像の見え方）。
【図１７】図１７は、図１６Ａに示す映像表示パネルにおいて、水平方向に３画素分の領域を示す拡大図である。
【図１８】図１８は、一画素内の複数のサブピクセルが当該一画素を等分した大きさではない場合の他の例として一画素内のサブピクセルに異なる大きさのサブピクセルが含まれている画像表示部における表示部と、従来の画像分離部における視差バリアとの関係を模式的に示す図である。
【発明を実施するための形態】
【００１４】
（本発明の一態様に至った経緯）
本発明の実施の形態の説明に先立ち、本発明の一態様に至った経緯について説明する。
【００１５】
上述の図１５に示すように、観察者２００は、第１視点Ｐ１（右眼）と第２視点Ｐ２（左眼）との２つの視点のそれぞれに対応する右眼用映像Ｘ１および左眼用映像Ｘ２のうち、第１視点Ｐ１に対応する右眼用映像Ｘ１を右眼で見るとともに第２視点Ｐ２に対応する左眼用映像Ｘ２を左眼で見ることによって、被写体３００を立体視することができる。
【００１６】
このとき、画像表示部１１０の表示部１１１における画素構造は、一つの画素１１２がＲ、Ｇ、Ｂの３色に対応する３つのサブピクセル（赤色用サブピクセル１１３Ｒ、緑色用サブピクセル１１３Ｇ、青色用サブピクセル１１３Ｂ）からなっており、さらに各サブピクセルの形状は互いに同一かつ一画素を均等に分けた大きさとなっている。
【００１７】
ここで、図１５における画像分離部１２０の視差バリア１２１の構造とは異なるが、画像分離部の視差バリアとして、開口部が、垂直方向に対して所定の角度を持つ方向に連続する開口を有し、かつ、水平方向に所定の間隔をあけて複数存在する構造のものを用いることがある。すなわち、斜めの線の形状（スラント型）の開口部（または遮光部）を有する視差バリアを用いることがある。これは、従来の裸眼３Ｄ方式（２視差）の立体表示装置に用いられる画像分離部１２０では、画像表示部１１０における複数のサブピクセルを水平方向に左眼用と右眼用とが交互になるように分けることが多く、また、水平方向と垂直方向の解像度のバランスも考慮して、垂直方向にも左眼用と右眼用のサブピクセルが交互になるようにすることが多いからである。なお、この場合、スラント型の視差バリアにおいて、開口部（または遮光部）同士の間隔は、各サブピクセルの水平方向のサイズと等しくなっている。また、開口部（または遮光部）の傾きは、一サブピクセルの水平方向サイズと垂直方向サイズの比から求められ、例えば、開口部の傾き＝３となる。
【００１８】
このように、従来では、図１５に示すように、一画素を構成するＲ、Ｇ、Ｂに対応する各サブピクセルの形状や配置は均一となっていることが多いのであるが、一画素を構成する複数のサブピクセルが当該一画素を等分した大きさにはなっていない場合がある。
【００１９】
本願発明者は、このような一画素を構成する複数のサブピクセルが当該一画素を等分した大きさではない画素構成の画像表示部に対して、上記のスラント型の視差バリアを有する画像分離部を適用した場合に、立体映像の画質が劣化するということを見出した。
【００２０】
一画素を構成する複数のサブピクセルが当該一画素を等分した大きさにはなっていない例として、例えば、画像表示部として有機ＥＬ表示装置が用いられる場合である。有機ＥＬ表示装置等の薄型ディスプレイパネルでは、発光層よりも観察者側に配置される電極（上部電極）としてＩＴＯ（Ｉｎｄｉｕｍ  Ｔｉｎ  Ｏｘｉｄｅ）のような透明電極が使用される。透明電極を用いる理由は、発光層から発せられる光の光量が低下することを抑制し、画質を落とさないようにするためである。しかし、ＩＴＯ等からなる透明電極は金属配線より高抵抗であるために、電圧降下が発生し、パネル全体に安定して電力を供給することが難しい。特に、最近のパネルの大型化によって電圧降下の影響は大きくなってきている。そのため、補助配線として低抵抗の金属電極（バスバー）を併用することにより上記電圧降下を抑制し、表示パネル全体に安定して電力を供給できるようにしている。
【００２１】
しかし、低抵抗の金属材料で構成されるバスバーは透明ではなく遮光性を有することから、発光領域とは異なる領域にバスバーを形成する必要があり、例えば発光領域間の遮光領域（非発光領域）に対応させてバスバーを形成する等している。また、バスバーによって画質を落とさないためには、平面視におけるバスバーの表面積をできるだけ小さくすることが望ましいが、ディスプレイの特徴によっては観察者側から見えるように配置せざるを得ない場合がある。
【００２２】
ここで、バスバーが形成された映像表示部を用いた立体映像表示装置について、図１６Ａおよび図１６Ｂを用いて説明する。図１６Ａおよび図１６Ｂは、バスバーが形成された画像表示部における表示部と従来の画像分離部における視差バリアとの関係を模式的に示す図である。なお、図１６Ａは、第１視点Ｐ１での映像の見え方を表し、図１６Ｂは、第２視点Ｐ２での映像の見え方を表している。
【００２３】
図１６Ａおよび図１６Ｂに示すように、バスバーが形成された表示部を備える画像表示部１１０Ａでは、一つの画素１１２Ａが、ＲＧＢの３つのサブピクセルが形成された領域であるサブピクセル領域Ｒ１と、バスバーを形成するための遮光領域であるバスバー形成領域Ｒ２とからなる。すなわち、水平方向に隣り合う画素１１２Ａ間の遮光領域にバスバーが存在し、青色用サブピクセルと赤色用サブピクセルとの間隔が他のサブピクセル同士の間隔よりも広くなっている。このように、図１６Ａおよび図１６Ｂに示されるような画素構成では、バスバーが配置されたことによって、ＲＧＢの各サブピクセルが一画素内に不均一に配置されることになる。つまり、一画素におけるＲＧＢの３つのサブピクセルが当該一画素を等分した大きさにはなっていない。
【００２４】
この場合、バスバーが形成された表示部を備える画像表示部１１０Ａに対して、スラント型の開口部１２２Ａ（遮光部１２３Ａ）の視差バリア１２１Ａを生成する画像分離部を適用すると、第１視点Ｐ１および第２視点Ｐ２から見た映像は、それぞれ図１６Ａおよび図１６Ｂに示すような映像となる。なお、図１６Ａおよび図１６Ｂにおいて、右眼用映像に対応するサブピクセルには、散点状のハッチングを施しており、左眼用映像に対応するサブピクセルは白抜きにしている。
【００２５】
このとき、第１視点Ｐ１から見た映像は、本来、右眼用映像を表示するサブピクセルのみによる映像となることが好ましいのであるが、実際には、図１６Ａに示すように、右眼用映像に対応するサブピクセル（散点状セル）に加えて左眼用映像に対応するサブピクセル（白抜きセル）も多く存在する映像となることが分かった。同様に、第２視点Ｐ２から見た映像は、本来、左眼用映像を表示するサブピクセルのみによる映像となることが好ましいのであるが、図１６Ｂに示すように、左眼用映像に対応するサブピクセル（白抜きセル）に加えて右眼用映像に対応するサブピクセル（散点状セル）も多く存在する映像となることが分かった。すなわち、図１６Ａおよび図１６Ｂに示すような構成では、右眼用映像として視認させたい映像には左眼用映像が多く混入し、逆に、左眼用映像として視認させたい映像には右眼用映像が多く混入してしまうということが分かった。例えば、図１６Ａおよび図１６Ｂに示す破線で囲まれる領域に着目してみると、いずれも不要の映像が混入し、立体映像としての画質が劣化することが分かる。
【００２６】
この点について、図１７を用いてさらに詳細に説明する。なお、図１７は、図１６Ａに示す映像表示パネルにおいて、水平方向に３画素分の領域を示す拡大図である。第１視点Ｐ１から見た映像は、上述のとおり、左眼用映像に対応するサブピクセル（白抜きセル）の一部も多く含まれる映像となっていることが分かる。そして、これによって、右眼用映像におけるＲＧＢの各サブピクセルの面積比が同じになっていないことも確認できる。つまり、第１視点Ｐ１から見た場合における右眼用映像のＲＧＢに割り当てられた各サブピクセルについて、ＲＧＢの色バランスが崩れていることが分かる。これにより、画像分離部１２０Ａの遮光部１２３Ａの黒い部分と画像表示部１１０Ａの黒い部分（ブラックマトリクスや非点灯部の遮光領域）とが干渉し、色付きモアレが発生する。従って、右眼用映像または左眼用映像としてみても画質が劣化することが分かる。
【００２７】
このように、図１６Ａおよび図１６Ｂに示すような構成では、右眼用映像として視認させたい映像には左眼用映像が混入し、逆に、左眼用映像として視認させたい映像には右眼用映像が混入してしまうので、立体映像としての画質が劣化することが分かった。さらに、これに伴ってＲＧＢの色バランスの偏りが発生して色付きモアレ（色モアレ）が発生し、これによって画質が劣化することも分かった。
【００２８】
また、一画素におけるサブピクセルの配置が不規則となる他の例としては、図１８に示すような画素の構成がある。図１８は、一画素内のサブピクセルに異なる大きさのサブピクセルが含まれている画像表示部における表示部と従来の画像分離部における視差バリアとの関係を模式的に示す図である。なお、図１８は、第１視点Ｐ１での映像の見え方を表している。図１８に示すように、輝度を調節するために、Ｒ、ＧおよびＢの各サブピクセルの幅（形状）を変えることがあり、この場合も結果として不均一な画素構造となる。
【００２９】
この場合、大きさの異なるサブピクセルを有する画素１１２Ｂによって構成された画像表示部１１０Ｂに対して、図１６Ａと同様の構成のスラント型の開口部１２２Ａ（遮光部１２３Ａ）の視差バリア１２１Ａを有する画像分離部を適用すると、第１視点Ｐ１から見た映像は、図１８に示すような映像となる。
【００３０】
このとき、第１視点Ｐ１から見た映像は、右眼用映像を表示するサブピクセルのみによる映像となることが好ましいのであるが、図１８に示すように、右眼用映像に対応するサブピクセル（散点状セル）に加えて左眼用映像に対応するサブピクセル（白抜きセル）も多く存在する映像となることが分かった。なお、図示しないが、図１６Ｂと同様に、第２視点Ｐ２から見た映像については逆のことが言える。このように、図１８に示すような画素構成の場合においても、右眼用映像として視認させたい映像には左眼用映像が多く混入し、逆に、左眼用映像として視認させたい映像には右眼用映像が多く混入してしまい、立体映像としての画質が劣化することが分かった。さらに、右眼用映像および左眼用映像の色バランスが崩れて色モアレが発生し、これにより画質が劣化することも分かった。
【００３１】
以上のように、本願発明者は、一画素を構成する複数のサブピクセルが当該一画素を等分した大きさではない映像表示部に対して、スラント型の視差バリアを適用した場合に、右眼用映像および左眼用映像の色バランスが崩れたり色モアレが発生したりして立体映像の画質が劣化するという知見を得ることができた。
【００３２】
そして、本願発明者は、この知見に基づいて鋭意検討した結果、画像分離部の視差バリアの開口部の開口形状を各サブピクセルの重心の位置に依存させて設計することにより、色バランスの崩れを抑制するとともに色モアレを低減して画質の劣化を抑えることができるという画期的な着想を得ることができた。
【００３３】
本発明は、このような知見に基づいてなされたものであり、本発明の一形態に係る映像表示する方法は、水平方向および垂直方向に並べられた複数の画素を有し、複数の異なる画像を含む合成画像を表示する画像表示部と、前記画像表示部に対向して配置され、前記水平方向に交互に配置された光を透過させる開口部と光を遮光する遮光部とによって前記画像表示部に表示された前記合成画像を前記複数の異なる画像に分離する画像分離部とを用いて映像表示する方法であって、前記複数の画素の各々を、それぞれが発光領域を有する複数のサブピクセルによって構成し、一画素における前記複数のサブピクセルの各々を、前記一画素を等分した大きさとせず、前記開口部を、前記垂直方向に対して斜め方向に開口させて、前記開口部と前記遮光部との境界線を、隣り合うサブピクセルの重心を結ぶ線の連続線もしくは隣り合う発光領域の重心を結ぶ線の連続線を平行移動させたものとして、または、隣り合うサブピクセルの重心の中点を結ぶ線の連続線もしくは隣り合う発光領域の重心の中点を結ぶ線の連続線として映像表示することを特徴とする。
【００３４】
これにより、画像分離部によって分離された異なる画像同士の混入を抑制するとともに、色バランスの劣化に伴う色付きモアレの発生を抑制することができるので、高画質の立体映像を表示することができる。
【００３５】
また、本発明の一形態に係る映像表示パネルは、水平方向および垂直方向に並べられた複数の画素を有し、複数の異なる画像を含む合成画像を表示する画像表示部と、前記画像表示部に対向して配置され、前記水平方向に交互に配置された、光を透過させる開口部と光を遮光する遮光部とによって、前記画像表示部に表示された合成画像を前記複数の異なる画像に分離する画像分離部と、を有し、前記複数の画素の各々は、それぞれが発光領域を有する複数のサブピクセルによって構成され、一画素における前記複数のサブピクセルは、当該一画素を等分した大きさではなく、前記開口部は、前記垂直方向に対して斜め方向に開口し、前記開口部と前記遮光部との境界線は、隣り合うサブピクセルの重心を結ぶ線の連続線もしくは隣り合う発光領域の重心を結ぶ線の連続線と平行である、または、隣り合うサブピクセルの重心の中点を結ぶ線の連続線もしくは隣り合う発光領域の重心の中点を結ぶ線の連続線であることを特徴とする。
【００３６】
これにより、画像分離部によって分離された異なる画像同士の混入を抑制するとともに、色バランスの劣化に伴う色付きモアレの発生を抑制することができるので、高画質の立体映像を表示することができる。
【００３７】
また、本発明の一形態に係る映像表示パネルにおいて、前記境界線は、斜め方向に隣り合うサブピクセルの重心を結ぶ線の連続線または斜め方向に隣り合う発光領域の重心を結ぶ線の連続線を前記垂直方向に平行移動させたものである、としてもよい。
【００３８】
また、本発明の一形態に係る映像表示パネルにおいて、前記斜め方向に隣り合うサブピクセルの重心を結ぶ線の連続線または前記斜め方向に隣り合う発光領域の重心を結ぶ線の連続線は、前記複数の異なる画像の各々を表示する前記複数のサブピクセルからの光量が多くなるように屈曲している、としてもよい。
【００３９】
これにより、さらに色バランスの劣化を抑制することができ、色付きモアレの発生も一層抑制することができる。
【００４０】
あるいは、本発明の一形態に係る映像表示パネルにおいて、前記境界線は、前記水平方向に隣り合うサブピクセルの重心の中点を結ぶ線の連続線または前記水平方向に隣り合う発光領域の重心の中点を結ぶ線の連続線である、としてもよい。この場合、前記水平方向に隣り合うサブピクセルの重心の中点を結ぶ線または前記水平方向に隣り合う発光領域の重心の中点を結ぶ線は、直線である、としてもよい。
【００４１】
さらに、前記水平方向に隣り合うサブピクセルの重心の中点を結ぶ線または前記水平方向に隣り合う発光領域の重心の中点を結ぶ線は、前記複数の異なる画像の各々を表示する前記複数のサブピクセルからの光量が多くなるように屈曲している、としてもよい。
【００４２】
これにより、さらに色バランスの劣化を抑制することができ、色付きモアレの発生も一層抑制することができる。
【００４３】
また、本発明の一形態に係る映像表示パネルにおいて、前記複数の画素の各々は、前記複数のサブピクセルで構成された領域と、前記複数のサブピクセルとは別の領域とからなる、と構成してもよい。この場合、前記複数のサブピクセルとは別の領域は、補助配線を形成するための領域である、とすることができる。あるいは、本発明の一形態に係る映像表示パネルにおいて、前記複数のサブピクセルは、異なる色に対応し、前記一画素における前記複数のサブピクセルのうち、一の色に対応するサブピクセルと前記一の色とは異なる色に対応するサブピクセルとは、大きさが異なる、ように構成してもよい。
【００４４】
また、本発明の一形態に係る映像表示パネルにおいて、前記開口部から見える前記複数のサブピクセルの各色成分の面積比が、前記画素を構成する前記複数のサブピクセルの各色成分の面積比と略同じであることが好ましい。
【００４５】
これにより、複数の各色サブピクセルにおける色バランスの偏りを大きく改善することができるので、色付きモアレの発生を大幅に低減することができる。
【００４６】
また、本発明の一形態に係る映像表示パネルにおいて、前記画像分離部は、前記開口部の開口形状を変更できるように構成されている、としてもよい。
【００４７】
また、本発明の一形態に係る映像表示パネルにおいて、前記画像分離部は、前記遮光部をなくして前記合成画像を全透過できるように構成されている、としてもよい。
【００４８】
また、本発明の一形態に係る映像表示パネルにおいて、前記一画素における前記複数のサブピクセルの各々は、異なる色に対応する、としてもよい。
【００４９】
また、本発明の一形態に係る映像表示装置は、上記の映像表示パネルによって立体画像と２Ｄ画像の両方もしくはいずれか一方を視聴することができるものである。
【００５０】
このように、本発明に係る映像表示パネルは、立体画像と２Ｄ画像の両方もしくはいずれか一方を視聴することができる映像表示装置として実現することができる。
【００５１】
以下、本発明の実施の形態に係る映像表示する方法、映像表示パネルおよび映像表示装置について、図面を参照しながら説明する。なお、以下に説明する実施の形態は、いずれも本発明の好ましい一具体例を示すものである。従って、以下の実施の形態で示される数値、形状、材料、構成要素、構成要素の配置位置または接続形態、ステップ（工程）、および、ステップの順序などは、一例であり、本発明を限定する主旨ではない。が、本発明は、請求の範囲の記載に基づいて特定される。よって、以下の実施の形態における構成要素のうち、本発明の最上位概念を示す独立請求項に記載されていない構成要素については、任意の構成要素として説明される。なお、各図は、模式図であり、必ずしも厳密に図示したものではない。
【００５２】
（実施の形態１）
まず、本発明の実施の形態１に係る映像表示する方法、映像表示パネルおよび映像表示装置について、図面を参照しながら説明する。
【００５３】
図１は、裸眼で立体視できる本発明の実施の形態１に係る映像表示する方法の概略を示す図である。図１では、第１視点Ｐ１（右眼）および第２視点Ｐ２（左眼）の２つの視点における信号（右眼用映像Ｘ１および左眼用映像Ｘ２）から立体映像を視認できるようにする場合（２視差）の原理を示している。つまり、映像表示領域（視聴位置）１００にいる観察者２００は、２つの視点の信号のうち、第１視点Ｐ１の信号である右眼用映像Ｘ１を右眼で見て、第２視点Ｐ２の信号である左眼用映像Ｘ２を左眼で見ることによって立体映像を観察できる状況にあることを示している。
【００５４】
図１に示す本発明の実施の形態１に係る映像表示する方法では、まず、図１５と同様にして、２つのカメラによって互いに異なる視点から被写体を撮影し、右眼用映像Ｘ１および左眼用映像Ｘ２を取得する。そして、取得した右眼用映像Ｘ１および左眼用映像Ｘ２の２つの映像をフォーマット変換部４０によって合成し、この合成した映像を画像表示部（画像表示装置）１０に表示する。画像表示部１０に表示された合成画像は、画像分離部（画像分離装置）２０によって右眼用映像Ｘ１と左眼用映像Ｘ２とに分離され、立体映像として観察される。
【００５５】
なお、図１では、画像表示部１０における右眼用サブピクセルには「１」と表記し、左眼用のサブピクセルには「２」と表記し、右眼用映像と左眼用映像が交互に表示されている例を示している。
【００５６】
次に、本実施の形態に係る映像表示パネル１について、図２を用いて説明する。図２は、本発明の実施の形態１に係る映像表示パネルの構成を示す図であり、（ａ）は映像表示パネルの概略構成を示す斜視図、（ｂ）は画像表示部の概略構成を示す図、（ｃ）は画像分離部の概略構成を示す図である。
【００５７】
本実施の形態に係る映像表示パネル１は、観察者（視聴者）２００が裸眼で立体視することができるパララックスバリア方式の立体映像表示パネルであり、図２の（ａ）に示すように、画像表示部（映像表示部）１０と、画像表示部１０に対向して配置された画像分離部（映像分離部）２０とを備える。本実施の形態において、画像分離部２０は、画像表示部１０の前面側（観察者側）に、画像表示部１０から所定の距離を隔てて配置されている。
【００５８】
画像表示部１１０としては、例えば、液晶ディスプレイ、プラズマディスプレイ、有機ＥＬ（Ｅｌｅｃｔｒｏ  Ｌｕｍｉｎｅｓｃｅｎｃｅ）ディスプレイまたは無機ＥＬディスプレイ等のフラットパネルディスプレイを用いることができ、本実施の形態では、有機ＥＬディスプレイを用いた。また、画像分離部２０としては、例えば、液晶シャッタパネルを用いることができる。
【００５９】
有機ＥＬディスプレイは、例えば、ガラス基板上に形成された薄膜トランジスタを含む駆動回路層（平坦化層）上に、下部電極（アノード）と、上部電極（カソード）と、下部電極および上部電極の間に形成された有機発光層（発光部）と、有機発光層を区画する隔壁（バンク）と、上部電極の上に形成された封止樹脂層と、封止樹脂層の上に形成されたガラス基板とが配置された構成である。下部電極、上部電極および有機発光層は、有機ＥＬ素子である。なお、上部電極は、全サブピクセルに共通して形成されたベタ電極である。一方、下部電極は、サブピクセルごとに島状に形成されている。
【００６０】
図２の（ｂ）に示すように、画像表示部１０は、水平方向および垂直方向にマトリクス状に並べられた複数の画素１２からなる表示部（映像表示面）１１を有する。表示部１１には、静止画または動画等の所定の映像として複数の異なる画像が合成された合成画像が表示される。本実施の形態において、表示部１１には、第１視点Ｐ１の信号である右眼用映像と第２視点Ｐ２の信号である左眼用映像との合成画像である３次元表示用の３次元画像が表示される。なお、表示部１１には、３次元画像だけではなく、２次元画像も表示される。
【００６１】
複数の画素（主画素）１２の各々は、互いに異なる色に対応する複数のサブピクセル（副画素）を有する。本実施の形態における各画素１２には、複数のサブピクセルに加えて、当該複数のサブピクセルとは別の領域として補助配線（バスバー）を形成するための領域（バスバー形成領域）が存在する。つまり、各画素１２は、複数のサブピクセルによって構成された領域と、バスバー形成領域とからなる。従って、一画素における複数のサブピクセルの各々は、当該一画素を等分した大きさにはなっていない。
【００６２】
具体的には、各画素１２は、同図に示すように、赤色の光を発する赤色発光領域を有する赤色用サブピクセル１３Ｒ、緑色の光を発する緑色発光領域を有する緑色用サブピクセル１３Ｇ、および青色の光を発する青色発光領域を有する青色用サブピクセル１３Ｂとの３つのサブピクセルが形成された領域であるサブピクセル領域Ｒ１と、ブラックマトリクス等からなる遮光領域１４であるバスバー形成領域Ｒ２とによって構成されている。本実施の形態において、ＲＧＢの各サブピクセルの大きさ（水平方向の幅）は同一である。また、バスバー形成領域Ｒ２において、補助配線は、上部電極（透明電極）による電圧降下の影響を抑制するために上部電極と電気的に接続されている。
【００６３】
なお、各サブピクセルにおいて、各色発光領域は、ブラックマトリクスからなる非発光領域（遮光領域）によって囲まれている。すなわち、隣接する各色発光領域の間には、ＲＧＢ同士の混色を防止するためにブラックマトリクスからなる遮光領域（非発光領域）が形成されている。また、バスバー形成領域におけるブラックマトリクスの幅は、発光領域間におけるブラックマトリクスの幅よりも大きくなるように形成されており、画素単位で幅広の遮光領域１４が形成されている。また、表示部１１の水平方向には、赤色用サブピクセル１３Ｒ、緑色用サブピクセル１３Ｇおよび青色用サブピクセル１３Ｂがこの順で繰り返して配置され、表示部１１の垂直方向には、同じ色の光を発光するサブピクセルが繰り返して配置されている。
【００６４】
図２の（ｃ）に示すように、画像分離部２０は、画像表示部１０に表示された合成画像に含まれる画像のうちの少なくとも一つを視認できるように当該合成画像を選択的に分離するものであり、例えば、画像表示部１０の表示部１１に３次元画像が表示された場合、当該３次元画像を右眼用映像と左眼用映像とに分離して立体表示させるための視差バリア２１が生成される。
【００６５】
視差バリア２１は、光の通過と遮断とを制御することによって光を選択的に透過させるように構成されており、光を透過させる複数の開口部２２と光を遮光する複数の遮光部２３とが水平方向に交互に配置されて構成されている。開口部２２と遮光部２３とによって画像表示部１０に表示された合成画像を複数の異なる画像に分離する。本実施の形態では、画像表示部１０に表示された３次元画像からなる合成画像を右眼用映像と左眼用映像とに分離する。
【００６６】
各開口部２２は、一定の開口幅を有するとともに垂直方向（表示部１１における垂直方向）に対して所定の角度を持つ方向に開口するスリット部である。すなわち、各開口部２２は、垂直方向に対して斜め方向に連続して開口している。また、各遮光部２３は、一定の遮光幅を有するとともに開口部２２と同じ傾斜角を有するように垂直方向に対して所定の角度を持つバリア部である。なお、開口部２２は、隣り合う遮光部２３の間の領域である。
【００６７】
このように、本実施の形態における視差バリア２１は、斜めの線の形状からなるスラント型であり、開口部２２と遮光部２３とは、いずれも右上がり（左下がり）に傾斜した斜めのストライプ状に形成されている。なお、後述するように、視差バリア２１における開口部２２の開口幅（遮光部２３の遮光幅）は、傾斜方向において一定となっておらず、変化するように構成されている。
【００６８】
次に、本発明の実施の形態１に係る映像表示パネルの特徴的な構成について、図３Ａおよび図３Ｂを用いて説明する。図３Ａおよび図３Ｂは、本発明の実施の形態１に係る映像表示パネルにおける画像表示部と画像分離部との関係を模式的に示す図である。なお、図３Ａおよび図３Ｂは、映像表示面に対して垂直方向から見た状態を示しており、図３Ａは、第１視点Ｐ１での映像の見え方を表し、図３Ｂは、第２視点Ｐ２での映像の見え方を表している。なお、図３Ａおよび図３Ｂにおいて、右眼用映像に対応するサブピクセルには、散点状のハッチングを施しており、左眼用映像に対応するサブピクセルは白抜きにしている。すなわち、表示部１１において、複数の画素１２は、右眼用画像と左眼用画像とがサブピクセル単位で割り当てられており、水平方向には左眼用のサブピクセルと右眼用のサブピクセルとが交互になるように、かつ、垂直方向にも左眼用のサブピクセルと右眼用のサブピクセルとが交互になるように割り当てられている。
【００６９】
図３Ａおよび図３Ｂに示すように、本発明の実施の形態１に係る映像表示パネル１では、画像分離部２０における視差バリア２１の開口部２２の開口形状（または遮光部２３の遮光形状）が、画像表示部１０の複数の画素１２における各サブピクセルの所定の位置を基準に規定されている。本実施の形態では、画像分離部２０における開口部２２と遮光部２３との境界線が、表示部１１全体における複数のサブピクセル（赤色用サブピクセル１３Ｒ、緑色用サブピクセル１３Ｇおよび青色用サブピクセル１３Ｂ）のうち斜め方向に隣り合ったサブピクセルの所定の位置を結ぶ連続線を垂直方向（表示部１１における垂直方向：紙面上下方向）に平行移動させたものとなるように、開口部２２の開口形状が設計されている。
【００７０】
ここで、開口部２２と遮光部２３の境界線とは、開口部２２における開口の長手方向の端縁形状、または、遮光部２３における長手方向の端縁形状に対応する。また、サブピクセルの所定の位置とは、サブピクセルの形状によってあらかじめ決められた位置のことであり、各サブピクセルにおいて同じ位置である。本実施の形態において、サブピクセルの所定の位置は、サブピクセルの重心としている。なお、図３Ａおよび図３Ｂのように、サブピクセルの形状が四角形である場合には、上記所定の位置は、サブピクセルの中心を示す重心の位置とするのがよい。
【００７１】
以下、本実施の形態において、上記所定の位置は、サブピクセルの重心として説明する。図３Ａおよび図３Ｂにおいて、各サブピクセルの重心部分は黒丸（●）で示しており、斜め方向に隣り合うサブピクセルの重心を結んだ線の連続線を破線で示している。そして、本実施の形態では、開口部２２と遮光部２３との境界線が、斜め方向に隣り合うサブピクセルの重心を結ぶ線の連続線を垂直方向に平行移動させたものとなっており、開口部２２と遮光部２３との境界線は、斜め方向に隣り合うサブピクセルの重心を結ぶ線の連続線と平行である。
【００７２】
斜め方向に隣り合うサブピクセルの重心を結ぶ線分、すなわち、斜め方向に隣り合うサブピクセルのうちの一方のサブピクセルの重心から他方のサブピクセルの重心までの線は、遮光領域１４を跨ぐ場合と跨がない場合とで、垂直方向に対する傾斜角が異なる。これは、遮光領域１４の水平方向の幅の分だけ、遮光領域１４を跨ぐ場合における斜め方向に隣り合うサブピクセルの重心を結ぶ線分の長さが長くなるからである。
【００７３】
ここで、例えば、図３Ａにおいて、ある１つの開口部２２ａに着目して、当該開口部２２ａにおける一方側（左側）の遮光部２３ａとの境界線をＬ１（第１の平行線）とし、当該開口部２２ａにおける他方側（右側）の遮光部２３ｂとの境界線をＬ２（第２の平行線）とし、当該開口部２２ａに対応する斜め方向に隣り合うサブピクセルの重心を一本の直線で結ぶ線の連続線をＬＣとすると、当該開口部２２ａにおける境界線Ｌ１およびＬ２は、この重心を結んだ連続線ＬＣを上下方向（垂直方向）にそれぞれＳｈ／２だけ平行移動したものとなるように構成されている。なお、Ｓｈは、サブピクセルの垂直方向の長さを表している。また、図３Ａにおける他の開口部についても開口部２２ａと同様に構成されている。さらに、図３Ｂにおける開口部２２についても図３Ａにおける開口部と同様の構成となっている。
【００７４】
このとき、図３Ａに示すように、右眼用映像として第１視点Ｐ１から観察される映像については、図１６Ａの場合と比べて、左眼用映像が表示されている不要なサブピクセル（白抜きセル）の割合が減少し、右眼用映像が表示されている必要なサブピクセル（散点状セル）の割合が増加していることが分かる。すなわち、本実施の形態では、右眼用映像として視認させたい映像の中に、左眼用映像が混入する割合を減少させることができる。同様に、図３Ｂに示すように、左眼用映像として第２視点Ｐ２から観察される映像については、図１６Ｂの場合と比べて、右眼用映像が表示される不要なサブピクセル（散点状セル）の割合が減少し、左眼用映像が表示される必要なサブピクセル（白抜きセル）の割合が増加していることが分かる。すなわち、本実施の形態では、左眼用映像として視認させたい映像の中に、右眼用映像が混入する割合を減少させることができる。これにより、立体映像としての画質の劣化を抑制することができる。
【００７５】
この点について、図４を用いて、さらに詳細に説明する。図４は、図３Ａに示す映像表示パネルにおいて、水平方向に３画素分の領域を示す拡大図である。
【００７６】
図４に示すように、図１４の場合と比べて、左眼用映像を表示するサブピクセル（白抜きセル）の割合が減少し、右眼用映像を表示するサブピクセル（散点状セル）の割合が増加し、この結果、赤色用サブピクセル１３Ｒ、緑色用サブピクセル１３Ｇおよび青色用サブピクセル１３Ｂの各サブピクセルの面積比が略同じ（Ｒ：Ｇ：Ｂ≒１：１：１）になっていることが分かる。これにより、ＲＧＢの各サブピクセルの見え方の偏り、すなわち、ＲＧＢの色バランスの偏りを大きく改善することができる。従って、ＲＧＢの色バランスの偏りによって発生する色付きモアレの発生も低減することができ、右眼用映像としての画質の劣化を抑制することができる。
【００７７】
以上、本実施の形態に係る映像表示パネル１によれば、一画素１２を構成する複数のサブピクセル（赤色用サブピクセル１３Ｒ、緑色用サブピクセル１３Ｇ、青色用サブピクセル１３Ｂ）が当該一画素を等分した大きさではない画像表示部１０に、スラント型の視差バリア２１からなる画像分離部２０を適用したとしても、画像分離部２０における開口部２２と遮光部２３との境界線が、画像表示部１０の表示部１１における隣り合うサブピクセルの重心を結ぶ線の連続線と平行となっているので、観察者２００が第１視点Ｐ１および第２視点Ｐ２から観察した右眼用映像および左眼用映像の一方に、他方の映像が混入することを抑制することできる。この結果、立体映像としての画質の劣化を抑制することができるので、高画質の立体映像を表示することができる。
【００７８】
さらに、本実施の形態のように、画像分離部２０がスラント型の視差バリア２１によって構成されている場合、当該視差バリア２１の遮光部２３と画像表示部１０の遮光領域１４（ブラックマトリクス等）とが干渉してモアレが感じられやすいが、上述のように、本実施の形態に係る映像表示パネル１によれば、色バランスの偏りを抑制することができるので、色付きモアレの発生を抑制することができる。
【００７９】
（実施の形態１の変形例１）
次に、本発明の実施の形態１の変形例１に係る映像表示パネル１Ａについて、図５Ａおよび図５Ｂを用いて説明する。図５Ａおよび図５Ｂは、本発明の実施の形態１の変形例１に係る映像表示パネルにおける画像表示部と画像分離部との関係を模式的に示す図である。なお、図５Ａは、第１視点Ｐ１での映像の見え方を表し、図５Ｂは、第２視点Ｐ２での映像の見え方を表している。
【００８０】
本変形例に係る映像表示パネル１Ａが実施の形態１に係る映像表示パネル１と異なる点は、画像分離部における視差バリアの構成である。なお、画像分離部以外の構成については、実施の形態１に係る映像表示パネル１と同様の構成である。従って、図５Ａおよび図５Ｂにおいて、図３Ａおよび図３Ｂにおける構成要素と同じ構成要素については同じ符号を付しており、その詳しい説明は省略または簡略化する。
【００８１】
図５Ａおよび図５Ｂに示すように、本変形例に係る映像表示パネル１Ａにおいて、画像分離部２０Ａの視差バリア２１Ａにおける開口部２２Ａの開口形状（遮光部２３Ａの遮光形状）は、実施の形態１と同様に、画像表示部１０におけるサブピクセルの重心を基準に規定されているが、本変形例では、開口部２２Ａと遮光部２３Ａとの境界線が、表示部１１全体における複数のサブピクセルのうち水平方向に隣り合うサブピクセルの重心の中点を結ぶ線の連続線となるように、開口部２２Ａの開口形状が設計されている。
【００８２】
なお、本変形例においても、実施の形態１と同様に、複数の開口部２２Ａと複数の遮光部２３Ａとは水平方向に交互に配置されている。また、各開口部２２Ａは、垂直方向に対して斜め方向に連続して開口し、各遮光部２３Ａは、開口部２２Ａと同じ傾斜角を有するように垂直方向に対して所定の角度を有する。従って、本変形例においても、視差バリア２１Ａはスラント型である。
【００８３】
図５Ａおよび図５Ｂにおいて、各サブピクセルの重心部分を黒丸（●）で示しており、水平方向に隣り合うサブピクセルの重心の中点を白抜き四角（◇）で示しており、さらに、この重心の中点（◇）を一本の直線で結んだ線の連続線を破線で示している。そして、本変形例では、開口部２２Ａと遮光部２３Ａとの境界線が、水平方向に隣り合うサブピクセルの重心の中点を直線で結ぶ線の連続線Ｌ３そのものとなっている。
【００８４】
このとき、図５Ａに示すように、右眼用映像として第１視点Ｐ１から観察される映像については、図１６Ａの場合と比べて、左眼用映像が表示される不要なサブピクセル（白抜きセル）の割合が減少し、右眼用映像が表示される必要なサブピクセル（散点状セル）の割合が増加していることが分かる。すなわち、本変形例でも実施の形態１と同様に、右眼用映像として視認させたい映像の中に、左眼用映像が混入する割合を減少させることができる。同様に、図５Ｂに示すように、左眼用映像として第２視点Ｐ２から観察される映像については、図１６Ｂの場合と比べて、右眼用映像を表示する不要なサブピクセル（散点状セル）の割合が減少し、左眼用映像を表示する必要なサブピクセル（白抜きセル）の割合が増加していることが分かる。すなわち、本変形例でも実施の形態１と同様に、左眼用映像として視認させたい映像の中に、右眼用映像が混入する割合を減少させることができる。
【００８５】
また、赤色用サブピクセル、緑色用サブピクセルおよび青色用サブピクセルの各サブピクセルの面積比が略同じ（Ｒ：Ｇ：Ｂ≒１：１：１）になっており、ＲＧＢの色バランスの偏りが大きく改善されていることが分かる。
【００８６】
以上、本変形例に係る映像表示パネル１Ａによれば、実施の形態１と同様の効果を奏する。すなわち、観察者２００が第１視点Ｐ１および第２視点Ｐ２から観察した右眼用映像および左眼用映像の一方に、他方の映像が混入することを抑制することできる。この結果、画質の劣化を抑制することができるので、高画質の立体映像を表示することができる。また、本変形例においても、色バランスの偏りを抑制することができるので、色付きモアレの発生を抑制することができる。
【００８７】
（実施の形態１の変形例２）
次に、本発明の実施の形態１の変形例２に係る映像表示パネル１Ｂについて、図６Ａおよび図６Ｂを用いて説明する。図６Ａおよび図６Ｂは、本発明の実施の形態１の変形例２に係る映像表示パネルにおける画像表示部と画像分離部との関係を模式的に示す図である。なお、図６Ａは、第１視点Ｐ１での映像の見え方を表し、図６Ｂは、第２視点Ｐ２での映像の見え方を表している。
【００８８】
本変形例に係る映像表示パネル１Ｂが実施の形態１に係る映像表示パネル１と異なる点は、画像分離部における視差バリアの構成である。なお、画像分離部以外の構成については、実施の形態１に係る映像表示パネル１と同様の構成である。従って、図６Ａおよび図６Ｂにおいて、図３Ａおよび図３Ｂにおける構成要素と同じ構成要素については同じ符号を付しており、その詳しい説明は省略または簡略化する。
【００８９】
図６Ａおよび図６Ｂに示すように、本変形例に係る映像表示パネル１Ｂにおいて、画像分離部２０Ｂの視差バリア２１Ｂにおける開口部２２Ｂの開口形状（遮光部２３Ｂの遮光形状）は、実施の形態１と同様に、画像表示部１０におけるサブピクセルの重心を基準に規定されているが、本変形例では、開口部２２Ｂと遮光部２３Ｂとの境界線が、表示部１１全体における複数のサブピクセルのうち水平方向に隣り合うサブピクセルの重心の中点を結ぶ線の連続線であって、右眼用映像または左眼用映像のいずれか一方を表示する複数のサブピクセルからの光量が多くなるように当該連続線の一部を屈曲させた線となるように、開口部２２Ｂの開口形状が設計されている。すなわち、本変形例における開口部２２Ｂと遮光部２３Ｂとの境界線は、変形例１における開口部２２Ａと遮光部２３Ａとの境界線をベースに、すなわち、水平方向に隣り合うサブピクセルの重心の中点を直線で結ぶ線の連続線Ｌ３をベースに、周期的あるいは非周期的なパターンが付加されたものである。
【００９０】
具体的には、本変形例における開口部２２Ｂと遮光部２３Ｂとの境界線は、右眼用映像または左眼用映像のいずれか一方を表示する複数のサブピクセルからの光量がより多くなるように連続線Ｌ３を屈曲させた構成となっており、図５Ａおよび図５Ｂに示す開口部２２Ａの開口形状をベースにさらにギザギザのパターンが付加されたものとなっている。
【００９１】
なお、本変形例においても、実施の形態１と同様に、複数の開口部２２Ｂと複数の遮光部２３Ｂとは水平方向に交互に配置されている。また、各開口部２２Ｂは、垂直方向に対して斜め方向にステップ状に連続して開口し、各遮光部２３Ｂは、開口部２２Ａと同様に垂直方向に対して斜め方向にステップ状に連続して形成されている。
【００９２】
図６Ａおよび図６Ｂにおいても、各サブピクセルの重心部分を黒丸（●）で示しており、水平方向に隣り合うサブピクセルの重心の中点を白抜き四角（◇）で示しており、さらに、この重心の中点（◇）を結んだ線の連続線を破線で示している。そして、本変形例では、開口部２２Ｂと遮光部２３Ｂとの境界線が、水平方向に隣り合うサブピクセルの重心の中点を結ぶ線の連続線Ｌ３を基準にして、上記重心の中点（◇）を境に左右に張り出した構成となっている。
【００９３】
具体的には、一画素における上記重心の中点（◇）の上側部分の連続線Ｌ３については紙面左側方向に張り出すように屈曲させ、一画素における上記重心の中点（◇）の下側部分の連続線Ｌ３については紙面右側方向に張り出すように屈曲させている。
【００９４】
このように構成することにより、図６Ａに示すように、右眼用映像として第１視点Ｐ１から観察される映像については、図５Ａの場合と比べて、さらに、左眼用映像が表示される不要なサブピクセル（白抜きセル）の割合が減少するとともに、右眼用映像が表示される必要なサブピクセル（散点状セル）の割合が増加していることが分かる。同様に、図６Ｂに示すように、左眼用映像として第２視点Ｐ２から観察される映像については、図５Ａの場合と比べて、さらに、右眼用映像が表示される不要なサブピクセル（散点状セル）の割合が減少するとともに、左眼用映像が表示される必要なサブピクセル（白抜きセル）の割合が増加していることが分かる。このように、本変形例では、変形例２と比べて、左眼用映像または右眼用映像として視認させたい映像の中に、他方の映像が混入する割合を一層減少させることができる。
【００９５】
以上、本変形例に係る映像表示パネル１Ｂによれば、実施の形態１およびその変形例１と比べて、観察者２００が第１視点Ｐ１および第２視点Ｐ２から観察した右眼用映像および左眼用映像の一方に他方の映像が混入することをさらに抑制することできる。この結果、さらに高画質の立体映像を表示することができる。
【００９６】
また、本変形例においても、色バランスの偏りを抑制することができるので、色付きモアレの発生を抑制することができる。しかも、本変形例では、遮光部２３Ｂにギザギザのパターンが付加されているので、モアレの発生を一層効果的に抑制することができる。すなわち、本変形例の画像分離部２０Ｂにおける遮光部２３Ｂの構成により、当該遮光部２３と画像表示部１０の遮光領域１４との干渉によるモアレの発生を顕著に抑制することができる。この結果、色付きモアレの発生を効果的に抑制することができる。
【００９７】
なお、これらのパターンの作成にあたっては、視聴者から見えるＲＧＢの各サブピクセルの面積のバランスができるだけ均一になるように開口部の開口形状の設計に工夫を行うとさらに効果が上がる。
【００９８】
なお、本変形例は、図３Ａおよび図３Ｂにおける開口部２２と遮光部２３との境界線Ｌ１およびＬ２についても適用することができる。
【００９９】
（実施の形態２）
次に、本発明の実施の形態２に係る映像表示パネル２について、図７Ａおよび図７Ｂを用いて説明する。図７Ａおよび図７Ｂは、本発明の実施の形態２に係る映像表示パネルにおける画像表示部と画像分離部との関係を模式的に示す図である。なお、図７Ａは、第１視点Ｐ１での映像の見え方を表し、図７Ｂは、第２視点Ｐ２での映像の見え方を表している。
【０１００】
本実施の形態では、映像表示パネル１の画像表示部における画素構成が実施の形態１と異なる。
【０１０１】
図７Ａおよび図７Ｂに示すように、本実施の形態に係る映像表示パネル２において、画像表示部１０Ａにおける表示部１１Ａの画素構成は、一画素内の複数のサブピクセルが当該一画素を等分した大きさではない点では実施の形態１と同じであるが、一画素内の複数のサブピクセルのうち一の色に対応するサブピクセルと当該一の色とは異なる色に対応する他のサブピクセルとの大きさが異なる点で実施の形態１と異なる。
【０１０２】
本実施の形態では、一画素を構成するＲＧＢのサブピクセルの水平方向の画素サイズが異なるように構成されている。より具体的には、図７Ａおよび図７Ｂに示すように、画素中央の緑色用サブピクセル１３Ｇの水平方向の画素サイズが、赤色用サブピクセル１３Ｒおよび青色用サブピクセル１３Ｂの画素サイズと異なるように構成されている。
【０１０３】
なお、本実施の形態では、緑色用サブピクセル１３Ｇの水平方向の画素サイズを他のサブピクセルの水平方向の画素サイズと異なるように構成しているが、赤色用サブピクセル１３Ｒまたは青色用サブピクセル１３Ｂの水平方向の画素サイズを他のサブピクセルの水平方向の画素サイズと異なる大きさとしても構わない。また、図７Ａおよび図７Ｂでは、赤色用サブピクセル１３Ｒと青色用サブピクセル１３Ｂとの水平方向の画素サイズは同じにしているが、ＲＧＢの全てのサブピクセルの水平方向の画素サイズが互いに異なるように構成しても構わない。また、本実施の形態において、バスバー形成領域としての遮光領域は存在せず、各サブピクセルの発光領域間の遮光領域（ブラックマトリクス）は同じ幅である。
【０１０４】
また、本実施の形態における画像分離部２０は、図３Ａおよび図３Ｂに示す実施の形態１における画像分離部２０と同様の考え方によって構成されている。すなわち、本実施の形態における画像分離部２０では、開口部２２と遮光部２３との境界線が、表示部１１全体における複数のサブピクセル（赤色用サブピクセル１３Ｒ、緑色用サブピクセル１３Ｇおよび青色用サブピクセル１３Ｂ）のうち斜め方向に隣り合ったサブピクセルの所定の位置を結ぶ連続線ＬＣを垂直方向にＳｈ／２だけ平行移動させたものとなっている。本実施の形態においても、所定の位置は、サブピクセルの重心としており、開口部２２と遮光部２３との境界線は、斜め方向に隣り合うサブピクセルの重心を結ぶ線の連続線と平行である。なお、図７Ａおよび図７Ｂにおいても、各サブピクセルの重心を黒丸（●）で示している。
【０１０５】
本実施の形態においても、複数の開口部２２と複数の遮光部２３とは、水平方向に交互に配置されている。また、各開口部２２は、垂直方向に対して斜め方向に連続して開口し、各遮光部２３は、開口部２２と同じ傾斜角を有するように垂直方向に対して所定の角度を有する。従って、本実施の形態においても、視差バリア２１はスラント型である。
【０１０６】
このとき、図７Ａに示すように、右眼用映像として第１視点Ｐ１から観察される映像については、図１８の場合と比べて、左眼用映像が表示される要なサブピクセル（白抜きセル）の割合が減少し、右眼用映像が表示される必要なサブピクセル（散点状セル）の割合が増加していることが分かる。同様に、図７Ｂに示すように、左眼用映像として第２視点Ｐ２から観察される映像については、右眼用映像が表示される不要なサブピクセル（散点状セル）の割合が減少し、左眼用映像が表示される必要なサブピクセル（白抜きセル）の割合が増加する。このように、本実施の形態においても、左眼用映像または右眼用映像として視認させたい映像の中に、他方の映像が混入する割合を減少させることができる。
【０１０７】
以上、本実施の形態に係る映像表示パネル２によれば、実施の形態１と同様の効果を奏する。すなわち、観察者２００が第１視点Ｐ１および第２視点Ｐ２から観察した右眼用映像および左眼用映像の一方に、他方の映像が混入することを抑制することできる。この結果、画質の劣化を抑制することができるので、高画質の立体映像を表示することができる。また、本変形例においても、色バランスの偏りを抑制することができるので、色付きモアレの発生を抑制することができる。
【０１０８】
（実施の形態２の変形例１）
次に、本発明の実施の形態２の変形例１に係る映像表示パネル２Ａについて、図８Ａおよび図８Ｂを用いて説明する。図８Ａおよび図８Ｂは、本発明の実施の形態２の変形例１に係る映像表示パネルにおける画像表示部と画像分離部との関係を模式的に示す図である。なお、図８Ａは、第１視点Ｐ１での映像の見え方を表し、図８Ｂは、第２視点Ｐ２での映像の見え方を表している。
【０１０９】
本変形例に係る映像表示パネル２Ａが実施の形態２に係る映像表示パネル２と異なる点は、画像分離部における視差バリアの構成である。なお、画像分離部以外の構成については、実施の形態２に係る映像表示パネル１と同様の構成である。従って、図８Ａおよび図８Ｂにおいて、図７Ａおよび図７Ｂにおける構成要素と同じ構成要素については同じ符号を付しており、その詳しい説明は省略または簡略化する。
【０１１０】
図８Ａおよび図８Ｂに示すように、本変形例に係る映像表示パネル２Ａにおいて、画像分離部２０Ａの視差バリア２１Ａにおける開口部２２Ａおよび遮光部２３Ａは、実施の形態１の変形例１と同様の考え方によって構成されている。本変形例に係る画像分離部２０Ａにおける開口部２２Ａの開口形状（遮光部２３Ａの遮光形状）は、開口部２２Ａと遮光部２３Ａとの境界線が複数のサブピクセルのうち水平方向に隣り合うサブピクセルの重心の中点を結ぶ線の連続線となるように、開口部２２Ａの開口形状が設計されている。
【０１１１】
図８Ａおよび図８Ｂにおいて、各サブピクセルの重心部分を黒丸（●）で示しており、水平方向に隣り合うサブピクセルの重心の中点を白抜き四角（◇）で示しており、さらに、この重心の中点（◇）を結んだ線の連続線を破線で示している。そして、本変形例では、開口部２２Ａと遮光部２３Ａとの境界線が、水平方向に隣り合うサブピクセルの重心の中点を直線で結ぶ線の連続線Ｌ３そのものとなっている。
【０１１２】
ここで、水平方向のサイズが大きいサブピクセル部分（緑色用サブピクセル１３Ｇ）について注目すると、従来法に比べて開口／遮光のバランスがよくなっていることが分かる。この図のように開口部２２Ａの開口形状を設定することで、図８Ａに示すように、右眼用映像として第１視点Ｐ１から観察される映像については、図１６Ａの場合と比べて、左眼用映像が表示される不要なサブピクセル（白抜きセル）の割合が減少し、右眼用映像が表示される必要なサブピクセル（散点状セル）の割合が増加する。同様に、図８Ｂに示すように、左眼用映像として第２視点Ｐ２から観察される映像については、図１６Ｂの場合と比べて、右眼用映像が表示される不要なサブピクセル（散点状セル）の割合が減少し、左眼用映像が表示される必要なサブピクセル（白抜きセル）の割合が増加する。このように、本変形例においても、左眼用映像または右眼用映像として視認させたい映像の中に、他方の映像が混入する割合を減少させることができる。
【０１１３】
以上、本変形例に係る映像表示パネル２Ａによれば、実施の形態２と同様の効果を奏する。すなわち、観察者２００が第１視点Ｐ１および第２視点Ｐ２から観察した右眼用映像および左眼用映像の一方に、他方の映像が混入することを抑制することできる。この結果、画質の劣化を抑制することができるので、高画質の立体映像を表示することができる。また、本変形例においても色バランスの偏りを少なくすることができるので、色付つきのモアレを低減することができる。
【０１１４】
（実施の形態２の変形例２）
次に、本発明の実施の形態２の変形例２に係る映像表示パネル２Ｂについて、図９Ａおよび図９Ｂを用いて説明する。図９Ａおよび図９Ｂは、本発明の実施の形態２の変形例２に係る映像表示パネルにおける画像表示部と画像分離部との関係を模式的に示す図である。なお、図９Ａは、第１視点Ｐ１での映像の見え方を表し、図９Ｂは、第２視点Ｐ２での映像の見え方を表している。
【０１１５】
本変形例に係る映像表示パネル２Ｂが実施の形態２に係る映像表示パネル２と異なる点は、画像分離部における視差バリアの構成である。なお、画像分離部以外の構成については、実施の形態２に係る映像表示パネル１と同様の構成である。従って、図９Ａおよび図９Ｂにおいて、図７Ａおよび図７Ｂにおける構成要素と同じ構成要素については同じ符号を付しており、その詳しい説明は省略または簡略化する。
【０１１６】
図９Ａおよび図９Ｂに示すように、画像分離部２０Ｂの視差バリア２１Ｂにおける開口部２２Ｂおよび遮光部２３Ｂは、実施の形態１の変形例２と同様の考え方によって構成されている。本変形例に係る画像分離部２０Ｂの視差バリア２１Ｂにおける開口部２２Ｂの開口形状（遮光部２３Ｂの遮光形状）は、開口部２２Ｂと遮光部２３Ｂとの境界線が、複数のサブピクセルのうち水平方向に隣り合うサブピクセルの重心の中点を結ぶ線の連続線であって、かつ、右眼用映像または左眼用映像のいずれか一方を表示する複数のサブピクセルからの光量が多くなるように一部を屈曲させた連続線となるように、開口部２２Ｂの開口形状が設計されている。
【０１１７】
すなわち、本変形例における開口部２２Ｂと遮光部２３Ｂとの境界線は、実施の形態１の変形例２における開口部２２Ａと遮光部２３Ａとの境界線をベースに、すなわち、水平方向に隣り合うサブピクセルの重心の中点を直線で結ぶ線の連続線Ｌ３をベースに、周期的あるいは非周期的なパターンが付加されたものである。
【０１１８】
具体的には、本変形例における開口部２２Ｂと遮光部２３Ｂとの境界線は、右眼用映像または左眼用映像のいずれか一方を表示する複数のサブピクセルからの光量がより多くなるように連続線Ｌ３を屈曲させた構成となっており、図５Ａおよび図５Ｂに示す開口部２２Ａの開口部形状をベースにさらにギザギザのパターンが付加されたものとなっている。
【０１１９】
このとき、図９Ａに示すように、右眼用映像として第１視点Ｐ１から観察される映像については、図８Ａの場合と比べて、さらに、左眼用映像が表示される不要なサブピクセル（白抜きセル）の割合が減少するとともに、右眼用映像が表示される必要なサブピクセル（散点状セル）の割合が増加していることが分かる。同様に、図９Ｂに示すように、左眼用映像として第２視点Ｐ２から観察される映像については、図８Ａの場合と比べて、さらに、右眼用映像が表示される不要なサブピクセル（散点状セル）の割合が減少するとともに、左眼用映像が表示される必要なサブピクセル（白抜きセル）の割合が増加していることが分かる。このように、本変形例では、変形例２と比べて、左眼用映像または右眼用映像として視認させたい映像の中に、他方の映像が混入する割合を一層減少させることができる。
【０１２０】
以上、本変形例に係る映像表示パネル２Ｂによれば、実施の形態２およびその変形例１と比べて、観察者２００が第１視点Ｐ１および第２視点Ｐ２から観察した右眼用映像および左眼用映像の一方に他方の映像が混入することをさらに抑制することできる。この結果、さらに高画質の立体映像を表示することができる。
【０１２１】
しかも、本変形例では、遮光部２３Ｂにギザギザのパターンが付加されているので、さらにＲＧＢの色バランスを改善でき、より色付きモアレを改善することができる。
【０１２２】
なお、これらのパターンの作成にあたっては、視聴者から見えるＲＧＢの各サブピクセルの面積のバランスができるだけ均一になるように開口部の開口形状の設計を行うとさらに効果があがる。
【０１２３】
また、有機ＥＬディスプレイからなる画像表示部において、ＲＧＢの各色の発光素子に性能差がある場合などは、ＲＧＢの各サブピクセルの大きさを意図的に変えることがあり、この結果、ＲＧＢの各サブピクセルの面積比が異なることになる場合がある。このような場合、画像分離部を通して見える映像（右眼用映像、左眼用映像）に対しても、画像表示部の画素構造におけるＲＧＢの面積比と略同じにすることが望ましい。
【０１２４】
なお、本変形例は、図７Ａおよび図７Ｂにおける開口部２２と遮光部２３との境界線についても適用することができる。
【０１２５】
（実施の形態３）
次に、本発明の実施の形態３に係る映像表示装置について、図１０を用いて説明する。図１０は、本発明の実施の形態３に係る映像表示装置の概略構成を示す図である。本実施の形態に係る映像表示装置は、液晶ディスプレイ装置、プラズマディスプレイ装置、有機ＥＬディスプレイ装置として実現することができ、例えば、上記の実施の形態に係る映像表示パネル１を用いることができる。本実施の形態に係る映像表示パネルを用いることにより、様々な装置に本発明に係る映像表示する方法を組み込むことが容易になり、色バランスに優れ、色付きモアレの少ない立体像を見ることができるようになる。
【０１２６】
さらに、本実施の形態に係る映像表示装置には、図１０の（ａ）〜（ｃ）に示すように、例えば、実施の形態１に係る映像表示パネル１に、画像分離部２０の特性を制御する画像分離制御部３０が付加されている。
【０１２７】
画像分離制御部３０は、所望の画像を表示する映像表示パネルを実現するために、利用目的に応じて画像分離部２０の視差バリアのパターンを外部から変更するものである。すなわち、立体映像は、画像分離部２０の視差バリアのパターン（開口部および遮光部の形状）によってモアレの量やクロストーク量などが変化して画質が変化するので、画質の変化に応じて視差バリアのパターンを変更することが好ましい。
【０１２８】
具体的には、画像分離部２０を位置ごとに完全な遮光状態（光の透過率が０％）から完全な透過状態（光の透過率が１００％）までを自由に切換えることができるようにし、目的に応じて視差バリアのパターンを変更できるようにしておく。例えば、開口部の開口幅や遮光部の遮光幅を変更することができる。
【０１２９】
視差バリアのパターンを変更する手段としては、例えば、画像分離部２０として、遮光部のパターンとなる透明電極が形成された第１透光基板と、第１透光基板に対向する第２透光基板と、第１透光基板と第２透光基板との間に設けられた液晶層と、液晶層を挟むように設けられた２つの偏光板とを備えた液晶シャッタパネルを用いて、透明電極に電圧をかけた部分とかけない部分とで遮光部と開口部を分けるようにすることにより、自由に遮光部または開口部のパターンを変更することができる。これによって、状況に応じて画像分離部２０の視差バリアのパターンを本発明に係るパターンに変更することが可能となり、観察者にとってより望ましい立体像を得ることが可能となる。
【０１３０】
また、本実施の形態において、画像分離制御部３０は、画像分離部２０に対して、映像表示パネルの立体画像（３次元表示）と２Ｄ画像（３次元表示）とを切り替えるための２Ｄ／３Ｄ切り替え信号を出力することで、映像表示パネルの表示画像を制御する。
【０１３１】
具体的には、観察者が立体画像を視聴する場合は、図１０の（ａ）に示すように、遮光部２３が機能するように画像分離部２０に視差バリアを生成させ、画像表示部１０に表示される合成画像を右眼用映像と左眼用画像とに分離する。これにより、観察者は、全面３次元表示の立体画像を視聴することができる。
【０１３２】
また、観察者が２Ｄ画像を視聴する場合は、図１０の（ｂ）に示すように、遮光部２３をなくして、すなわち、遮光部２３に遮光機能を発揮させないように画像分離部２０を制御して、画像表示部１０に表示される２Ｄ画像が画像分離部２０で遮光されずに全透過できるようにする。これにより、観察者は、全面２次元表示の２Ｄ画像を視聴することができる。
【０１３３】
このように、画像分離制御部３０によって画像分離部２０を制御することによって、観察者は、立体画像と２Ｄ画像とを切り替えて視聴することができる。なお、遮光部２３の遮光機能を発揮させるか発揮させないかは、例えば、画像分離部２０が上記の液晶シャッタパネルの場合、遮光部２３に対応するパターンの透明電極に印加する電圧を制御することによって制御することができる。
【０１３４】
さらに、本実施の形態において、立体画像および２Ｄ画像の両方の画像を同時に視聴することができるようにしても構わない。例えば、画像分離制御部３０によって画像分離部２０を制御することにより、図１０の（ｃ）に示すように、画面の左半分を裸眼３Ｄで立体画像を見えるようにし、画面の右半分を高画質な２Ｄ画像を見えるようにすることも可能である。この場合、画像分離制御部３０によって画像分離部２０を制御することにより、画像分離部２０の遮光部２３が、画面の左半分では遮光機能を発揮するように、かつ、画面の右半分では遮光機能を発揮しないようにする。このように、図１０の（ｃ）の場合において、観察者は、２次元表示と３次元表示とが混在する画像を視聴することができる。
【０１３５】
（変形例）
以上、本発明に係る立体映像を表示する方法、映像表示パネルおよび映像表示装置について、実施の形態に基づいて説明したが、本発明は、上記の実施の形態に限定されるものではない。以下、本発明の変形例について説明する。
【０１３６】
（変形例１）
上記の実施の形態では、水平方向にＲＧＢの各サブピクセルが配置された画素構造の場合について説明したが、本発明は、このような画素構造に限定されるものではない。例えば、垂直方向にＲＧＢの各サブピクセルが配置された画素構造の場合についても同様の考え方を適用できる。
【０１３７】
以下、本発明の変形例１について、図１１Ａおよび図１１Ｂを用いて詳述する。図１１Ａは、第１の従来の映像表示パネルにおける画像表示部と画像分離部との関係を模式的に示す図である。一方、図１１Ｂは、本発明の変形例１に係る映像表示パネルにおける画像表示部と画像分離部との関係を模式的に示す図である。
【０１３８】
図１１Ａおよび図１１Ｂでは、垂直方向にＲＧＢの各サブピクセルが配置された画素構造を有する画像表示部の場合に、実施の形態１における画像分離部の構成を適用したときの例を示している。なお、図１１Ａおよび図１１Ｂは、いずれも第１視点Ｐ１での映像の見え方を表している。
【０１３９】
図１１Ａに示すように、境界線が一直線状の開口部１２２Ａと遮光部１２３Ａとからなる第１の従来の視差バリア１２１Ａの構成では、右眼用映像として第１視点Ｐ１から観察される映像に、左眼用映像が表示される不要なサブピクセル（白抜きセル）が多く存在していることが分かる。
【０１４０】
これに対して、図１１Ｂに示すように、本変形例では、実施の形態１と同様に、画像分離部２０における開口部２２と遮光部２３との境界線が、斜め方向に隣り合う各サブピクセルの重心を通る線を直線で結ぶ連続線ＬＣを垂直方向に平行移動させたものとなっている。具体的には、ある開口部２２における隣接する遮光部２３との２つの境界線Ｌ１およびＬ２（第１の平行線および第２の平行線）は、斜め方向に隣接するサブピクセルの重心を結んだ連続線ＬＣを上下方向（垂直方向）に平行移動したものとなるように構成されている。これにより、右眼用映像として第１視点Ｐ１から観察される映像に、左眼用映像を表示する不要なサブピクセル（白抜きセル）が存在する割合を減少させることができる。なお、第２視点Ｐ２においても、左眼用映像として第２視点Ｐ２から観察される映像に、右眼用映像を表示する不要なサブピクセル（散点状セル）が存在する割合を減少させることができる。このように、本変形例においても、実施の形態１と同様に、第１視点Ｐ１の信号（右眼用画像）と第２視点Ｐ２の信号（左眼用映像）の分離を効果的に行うことができる。
【０１４１】
なお、本変形例における画像表示部の画素構造において、実施の形態１の変形例１における画像分離部の構成を適用しても構わない。つまり、開口部２２と遮光部２３との境界線が、複数のサブピクセルのうち水平方向に隣り合うサブピクセルの重心の中点を結ぶ線の連続線となるようにしても構わない。あるいは、本変形例における画像表示部の画素構造において、実施の形態１の変形例２における画像分離部の構成を適用しても構わない。つまり、開口部２２と遮光部２３との境界線が、さらに、右眼用映像または左眼用映像のいずれか一方を表示する複数のサブピクセルからの光量が多くなるように一部を屈曲させた連続線となるようにしても構わない。
【０１４２】
（変形例２）
また、上記の実施の形態では、サブピクセルの重心と当該サブピクセルの発光領域の重心とが略一致する画素構造の場合について説明したが、本発明は、このような画素構造に限定されるものではない。例えば、サブピクセルの重心と当該サブピクセルの発光領域の重心とが一致しない場合についても同様の考え方を適用できる。
【０１４３】
以下、本発明の変形例２について、図１２Ａおよび図１２Ｂを用いて詳述する。図１２Ａは、第２の従来の映像表示パネルにおける画像表示部と画像分離部との関係を模式的に示す図である。また、図１２Ｂは、本発明の変形例２に係る映像表示パネルにおける画像表示部と画像分離部との関係を模式的に示す図である。
【０１４４】
なお、図１２Ａおよび図１２Ｂでは、画像表示部の各画素の各サブピクセルにおいて、発光領域が垂直方向に（本変形例では下側に）ずれて、サブピクセルの重心と発光領域の重心とが一致しない場合を示している。また、図１１Ａおよび図１１Ｂは、いずれも第１視点Ｐ１での映像の見え方を表している。
【０１４５】
このように各サブピクセルにおいて発光領域が垂直方向にずれる場合としては、例えば、各サブピクセルに形成された金属電極（金属配線）をブラックマトリクスで覆う場合である。これにより、サブピクセルにおける上部領域または下部領域がブラックマトリクス領域となって実質的に発光領域の重心とサブピクセルの重心とがずれることになる。
【０１４６】
このような画素構造において、図１２Ａに示すように、境界線が一直線状の開口部１２２Ａと遮光部１２３Ａとからなる第２の従来の視差バリア１２１Ａの構成の場合、右眼用映像として第１視点Ｐ１から観察される映像には、左眼用映像が表示される不要なサブピクセル（白抜きセル）が多く存在していることが分かる。
【０１４７】
一方、図１２Ｂに示すように、本変形例では、画像分離部２０における開口部２２と遮光部２３との境界線が、斜め方向に隣り合う各発光領域の重心を通る線を直線で結ぶ連続線ＬＣを垂直方向に平行移動させたものとなっている。具体的には、ある開口部２２における隣接する遮光部２３との２つの境界線Ｌ１およびＬ２（第１の平行線および第２の平行線）は、斜め方向に隣接するサブピクセルの発光領域の重心を結んだ連続線ＬＣを上下方向（垂直方向）に平行移動したものとなるように構成されている。すなわち、実施の形態１では、サブピクセルの重心を基準にして開口部２２と遮光部２３と境界線を規定したが、本変形例では、発光領域の重心を基準にして開口部２２と遮光部２３と境界線を規定している。
【０１４８】
このように構成することで、図１２Ｂに示すように、右眼用映像として第１視点Ｐ１から観察される映像に、左眼用映像を表示する不要な発光領域（白抜きセル）が存在する割合を減少させることができる。なお、第２視点Ｐ２においても、左眼用映像として第２視点Ｐ２から観察される映像に、右眼用映像を表示する不要な発光領域（散点状セル）が存在する割合を減少させることができる。従って、第１視点Ｐ１の信号（右眼用画像）と第２視点Ｐ２の信号（左眼用映像）の分離を効果的に行うことができる。
【０１４９】
以上、本変形例によれば、右眼用映像および左眼用映像の一方に他方の映像が混入することを抑制することできる。この結果、画質の劣化を抑制することができるので、高画質の立体映像を表示することができる。また、本変形例においても、色バランスの偏りを抑制することができるので、色付きモアレの発生を抑制することができる。
【０１５０】
なお、本変形例における画像表示部の画素構造において、図５Ａおよび図７Ａに示す実施の形態１の変形例１、２における画像分離部の構成を適用しても構わない。すなわち、開口部２２と遮光部２３との境界線が水平方向に隣り合う発光領域の重心の中点を結ぶ線の連続線となるように構成してもよいし、さらに、複数のサブピクセルからの光量が多くなるように一部を屈曲させた線となるように構成しても構わない。
【０１５１】
また、本変形例では、発光領域の上部分と下部分とが湾曲した形状となっているが、実施の形態１、２と同様に、矩形状の発光領域としても構わない。逆に、実施の形態１、２およびその変形例において、発光領域の形状を図１２Ｂに示すような構成としても構わない。
【０１５２】
（変形例３）
また、各サブピクセルにおける発光領域の平面視形状は、上記の実施の形態および変形例の構成に限定されるものではなく、図１３に示すように、発光領域の平面視形状が「く」の字状に屈曲する構成であっても構わない。図１３は、本発明の変形例３に係る映像表示パネルにおける画像表示部と画像分離部との関係を模式的に示す図である。なお、図１３では、第１視点Ｐ１での映像の見え方を表している。
【０１５３】
このように、発光領域の平面視形状が図１３に示すような構成の場合にも、図３Ａに示される画像分離部の開口部の開口形状（斜め方向に隣接するサブピクセルの重心で規定）、図５Ａ、図７Ａに示される画像分離部の開口部の開口形状（水平方向に隣接するサブピクセルの重心で規定）、または、図１２Ａに示される画像分離部の開口部の開口形状（発光領域の重心で規定）を適用することができる。
【０１５４】
以下、本発明の変形例２について、図１２Ａおよび図１２Ｂを用いて詳述する。図１２Ａは、第２の従来の映像表示パネルにおける画像表示部と画像分離部との関係を模式的に示す図である。また、図１２Ｂは、本発明の変形例２に係る映像表示パネルにおける画像表示部と画像分離部との関係を模式的に示す図である。
【０１５５】
以上、本変形例においても、右眼用映像および左眼用映像の一方に他方の映像が混入することを抑制することできる。この結果、画質の劣化を抑制することができるので、高画質の立体映像を表示することができる。また、本変形例においても、色バランスの偏りを抑制することができるので、色付きモアレの発生を抑制することができる。
【０１５６】
（変形例４）
また、各サブピクセルにおける発光領域の平面視形状としては、図１４に示すような構成としても構わない。図１４は、本発明の変形例４に係る映像表示パネルにおける画像表示部と画像分離部との関係を模式的に示す図である。なお、図１４では、第１視点Ｐ１での映像の見え方を表している。
【０１５７】
図１４に示すように、各サブピクセルにおける発光領域は、複数個に分割されていても構わない。なお、図１４では、図１３に示される発光領域を上下に２分割する例を示している。このように、発光領域が複数個に分割されている場合、複数の発光領域（分割された発光領域）をまとめて全体として１つの発光領域とみなし、この１つの発光領域の重心を基準にして画像分離部の開口部の開口形状を規定することができる。すなわち、図１２Ｂと同様に、画像分離部２０における開口部２２と遮光部２３との境界線を、斜め方向に隣り合う１つの発光領域（複数の発光領域をあわせたもの）の重心を通る線を直線で結ぶ連続線ＬＣを垂直方向に平行移動させたものとすることができる。
【０１５８】
なお、本変形例においても、図５Ａおよび図７Ａに示す実施の形態１の変形例１、２における画像分離部の構成を適用しても構わない。すなわち、開口部２２と遮光部２３との境界線が水平方向に隣り合う１つの発光領域の重心の中点を結ぶ線の連続線となるように構成してもよいし、さらに、複数のサブピクセルからの光量が多くなるように屈曲した連続線となるように構成しても構わない。
【０１５９】
（変形例５）
また、上記の実施の形態および変形例では、パララックスバリア方式による裸眼立体視の映像表示装置について説明したが、本発明は、レンチキュラ方式による裸眼立体視の映像表示装置にも適用することができる。レンチキュラ方式の映像表示装置では、画像分離部として、視差バリアではなく、レンチキュラレンズが用いられる。レンチキュラレンズは、例えば、半円柱状のレンズを所定の角度にスラントさせて水平方向に複数個並べることによって構成される。つまり、各レンズは、水平方向には曲率を持ち、かつ垂直方向には曲率を持たない。
【０１６０】
この場合、隣接するレンズの境界線（隣り合うレンズが接する部分）の形状を、本発明における開口部と遮光部との境界線の形状となるように構成すればよい。例えば、隣接するレンズの境界線を、斜め方向に隣り合ったサブピクセル（または発光領域）の重心を結ぶ連続線を垂直方向に平行移動させたものとなるように構成したり、水平方向に隣り合うサブピクセル（または発光領域）の重心の中点を結ぶ線の連続線となるように構成したり、さらに、この連続線の一部をサブピクセルからの光量が多くなるように屈曲させた線となるように構成したりすればよい。
【０１６１】
これにより、右眼用映像および左眼用映像の一方に他方の映像が混入することを抑制することできるので、高画質の立体映像を表示することができる。また、色バランスの偏りを少なくすることができるので、色付つきのモアレを低減することができる。
【０１６２】
（その他）
また、上記の各実施の形態およびその変形例において、サブピクセルまたは発光領域の重心の位置は、正確にサブピクセルまたは発光領域の重心の位置でなくてもよく、サブピクセルの上下、左右、斜め方向の長さに対して１０％程度の誤差は許容範囲である。
【０１６３】
また、上記の各実施の形態およびその変形例において、画像分離部における開口部の開口形状は、視差バリアのパターンを製造する際に製造誤差が生じることを考慮して設計することで、さらに画質劣化を改善することができる。
【０１６４】
また、上記の各実施の形態およびその変形例では、視点数が２（２視点）の場合である２視点のパララックスバリア方式を例にとって説明したが、視点数は２を超える場合においても本発明を適用することができる。例えば、４視点等の２視点を超える多視点のパララックスバリア方式とすることもできる。
【０１６５】
また、上記の各実施の形態およびその変形例では、一画素を構成するサブピクセルがＲ、Ｇ、Ｂの３色とし、水平方向または垂直方向に順に配列させた画素構造の場合を例にとって説明したが、これ以外の色構成または画素構造であっても本発明を適用することができる。例えば、一画素をＲ、Ｇ、Ｂ、Ｗ（白）の４色とすることもできる。なお、表示部（画素）の構成としては、カラー表示用の画素ではなく、モノクロ用の画素であっても構わない。
【０１６６】
また、上記の各実施の形態およびその変形例では、画素ごとに遮光領域（ブラックマトリクス）の幅が大きくなる場合として、バスバーが形成される場合について説明したが、これに限らない。本発明は、別の目的で画素ごとに遮光領域の幅が大きくなる場合にも適用することができる。
【０１６７】
また、上記の各実施の形態およびその変形例では、液晶シャッタパネルを利用して視差バリアを構成したが、合成画像に対して選択的に透過と不透過とを切り替えることができる画像分離部であれば、液晶シャッタパネルに限らない。
【０１６８】
その他、各実施の形態および変形例に対して当業者が思いつく各種変形を施して得られる形態や、本発明の趣旨を逸脱しない範囲で各実施の形態および変形例における構成要素および機能を任意に組み合わせることで実現される形態も本発明に含まれる。
【産業上の利用可能性】
【０１６９】
本発明に係る映像表示する方法、映像表示パネルおよび映像表示装置は、モアレを抑えて画質劣化の少ない映像表示を実現することができ、特に視差バリア方式の映像表示装置等において広く有用である。
【符号の説明】
【０１７０】
１、１Ａ、２、２Ａ  映像表示パネル
１０、１０Ａ、１０Ｂ、１１０、１１０Ａ、１１０Ｂ  画像表示部
１１、１１Ａ、１１１  表示部
１２、１１２、１１２Ａ  画素
１３Ｒ、１１３Ｒ  赤色用サブピクセル
１３Ｇ、１１３Ｇ  緑色用サブピクセル
１３Ｂ、１１３Ｂ  青色用サブピクセル
１４  遮光領域
２０、２０Ａ、２０Ｂ、１２０、１２０Ａ  画像分離部
２１、２１Ａ、２１Ｂ、１２１、１２１Ａ  視差バリア
２２、２２ａ、２２Ａ、２２Ｂ、１２２、１２２Ａ  開口部
２３、２３ａ、２３ｂ、２３Ａ、２３Ｂ、１２３、１２３Ａ  遮光部
３０  画像分離制御部
４０  フォーマット変換部
１００  映像観察領域
１３０  カメラ
１４０  フォーマット変換部
２００  観察者
３００  被写体
【図１】
2013042332.tif 000003
【図２】
2013042332.tif 000004
【図３Ａ】
2013042332.tif 000005
【図３Ｂ】
2013042332.tif 000006
【図４】
2013042332.tif 000007
【図５Ａ】
2013042332.tif 000008
【図５Ｂ】
2013042332.tif 000009
【図６Ａ】
2013042332.tif 000010
【図６Ｂ】
2013042332.tif 000011
【図７Ａ】
2013042332.tif 000012
【図７Ｂ】
2013042332.tif 000013
【図８Ａ】
2013042332.tif 000014
【図８Ｂ】
2013042332.tif 000015
【図９Ａ】
2013042332.tif 000016
【図９Ｂ】
2013042332.tif 000017
【図１０】
2013042332.tif 000018
【図１１Ａ】
2013042332.tif 000019
【図１１Ｂ】
2013042332.tif 000020
【図１２Ａ】
2013042332.tif 000021
【図１２Ｂ】
2013042332.tif 000022
【図１３】
2013042332.tif 000023
【図１４】
2013042332.tif 000024
【図１５】
2013042332.tif 000025
【図１６Ａ】
2013042332.tif 000026
【図１６Ｂ】
2013042332.tif 000027
【図１７】
2013042332.tif 000028
【図１８】
2013042332.tif 000029
【国際調査報告】
2013042332.tif 000030
2013042332.tif 000031
2013042332.tif 000032
2013042332.tif 000033